(57)【特許請求の範囲】
【請求項１】
洗濯兼脱水槽の底部に回転自在に配設したパルセータと、前記パルセータおよび前記洗濯兼脱水槽を駆動するモータと、前記洗濯兼脱水槽内の洗濯物の量を検知する布量検知手段と、前記洗濯兼脱水槽内に給水する給水手段と、前記洗濯兼脱水槽内の水位を検知する水位検知手段と、前記水位検知手段の信号を取り込み前記給水手段の開閉を制御するとともに前記モータの通電制御を行う制御手段とを備え、前記制御手段は、洗濯行程またはすすぎ行程において、前記給水手段を制御して、前記水位検知手段が前記布量検知手段により検知した洗濯物の量に対応した水位を検知するまで給水し、その洗濯物の量に対応した水位で前記パルセータを強い水流を発生させる所定の反転周期で駆動させ、その後、前記洗濯行程またはすすぎ行程終了の所定時間前に、前記パルセータの駆動を停止するとともに、前記給水手段を制御して、前記水位検知手段が前記布量検知手段により検知した洗濯物の量に対応した水位より高い所定の水位を検知するまで給水し、その所定の水位で前記パルセータを前記所定の反転周期より短い反転周期で所定時間駆動させ、その後、排水、脱水を行うようにした脱水兼用洗濯機。
【発明の詳細な説明】
【０００１】
【発明の属する技術分野】
本発明は洗濯、すすぎ、脱水の一連の行程を自動的に行う脱水兼用洗濯機に関する。
【０００２】
【従来の技術】
従来、この種の脱水兼用洗濯機は、洗濯またはすすぎの各行程終了後の排水と脱水を一連の行程で行う場合、水位を上げずに、パルセータを通常撹拌時の反転周期よりも短い反転周期にて駆動する、いわゆるバランスコントロール水流にて洗濯物をほぐす方法が用いられている。また、水位の補正は給水直後の洗濯物の含水に対して、運転開始直後に撹拌前の水位まで給水を行うものが一般的である。
【０００３】
【発明が解決しようとする課題】
このような従来の構成では、近年の洗濯機は、洗濯容量の拡大と洗濯機本体の小型化という相反する動向によって、浴比は下がる傾向があるため、洗濯途中の含水も重なり、洗濯物がからみやすく、その結果、洗濯物のアンバランスが発生しやすく、脱水時の振動が大きくなっており、低騒音化が求められている。また、洗濯物のアンバランスが大きいと駆動用モータへの負担も大きいという問題を有していた。
【０００４】
本発明は上記課題を解決するもので、洗濯行程またはすすぎ行程におけるパルセータ撹拌終了前に洗濯兼脱水槽内の水位を上昇させて、布まわりをよくし、洗濯物のからみを解きほぐし、脱水時の振動性能を向上することを目的としている。
【０００５】
【課題を解決するための手段】
本発明は上記目的を達成するために、洗濯兼脱水槽の底部にパルセータを回転自在に配設し、パルセータおよび洗濯兼脱水槽をモータにより駆動し、布量検知手段により洗濯兼脱水槽内の洗濯物の量を検知して、洗濯兼脱水槽内に給水手段により給水するとともに、洗濯兼脱水槽内の水位を水位検知手段により検知する。制御手段は、洗濯行程またはすすぎ行程において、水位検知手段が、布量検知手段により検知した洗濯物の量に対応した水位を検知すると、給水手段を閉にし、モータの通電制御を行い、洗濯物の量に対応した水位でパルセータを強い水流を発生させる所定の反転周期で駆動させ、その後、洗濯行程またはすすぎ行程終了の所定時間前にパルセータの駆動を停止するとともに、水位検知手段が布量検知手段により検知した洗濯物の量に対応した水位より高い所定の水位を検知するまで給水し、その所定の水位でパルセータを所定の反転周期より短い反転周期で所定時間駆動させ、その後、排水、脱水を行うようにしたものである。
【０００６】
これにより、洗濯兼脱水槽の水位を上昇させる前の水位では、強い水流にて最小限の洗剤で水飛びを防ぎつつ、洗濯またはすすぎを行うことができ、その後、水位を上昇させることにより、浴比が上昇して布まわりがよくなり、洗濯物のからみを解きほぐし、洗濯物のアンバランスを改善して振動性能を向上することができる。
【０００７】
【発明の実施の形態】
本発明の請求項１に記載の発明は、洗濯兼脱水槽の底部に回転自在に配設したパルセータと、前記パルセータおよび前記洗濯兼脱水槽を駆動するモータと、前記洗濯兼脱水槽内の洗濯物の量を検知する布量検知手段と、前記洗濯兼脱水槽内に給水する給水手段と、前記洗濯兼脱水槽内の水位を検知する水位検知手段と、前記水位検知手段の信号を取り込み前記給水手段の開閉を制御するとともに前記モータの通電制御を行う制御手段とを備え、前記制御手段は、洗濯行程またはすすぎ行程において、前記給水手段を制御して、前記水位検知手段が前記布量検知手段により検知した洗濯物の量に対応した水位を検知するまで給水し、その洗濯物の量に対応した水位で前記パルセータを強い水流を発生させる所定の反転周期で駆動させ、その後、前記洗濯行程またはすすぎ行程終了の所定時間前に、前記パルセータの駆動を停止するとともに、前記給水手段を制御して、前記水位検知手段が前記布量検知手段により検知した洗濯物の量に対応した水位より高い所定の水位を検知するまで給水し、その所定の水位で前記パルセータを前記所定の反転周期より短い反転周期で所定時間駆動させ、その後、排水、脱水を行うようにしたものであり、洗濯兼脱水槽の水位を上昇させる前の水位では、強い水流にて最小限の洗剤で水飛びを防ぎつつ、洗濯またはすすぎを行うことができ、その後、水位を上昇させることにより、浴比が上昇して布まわりがよくなり、いわゆるバランスコントロール水流にて洗濯物をほぐすことで、洗濯物のからみを解きほぐし、洗濯物のアンバランスを改善して振動性能を向上することができる。この結果、駆動用モータへの負担も軽減することができる。
【０００８】
【実施例】
以下、本発明の実施例について、図面を参照しながら説明する。
【０００９】
（実施例１）
図１に示すように、洗濯機外枠１は、４本の吊り棒２により水受け槽３を吊り下げている。洗濯兼脱水槽４は、水受け槽３内に回転自在に配設し、洗濯槽４の底部にパルセータ５を回転自在に配設している。モータ６は、Ｖベルト７および減速機構８を介してパルセータ５および洗濯兼脱水槽４を駆動する。給水弁（給水手段）９は、洗濯兼脱水槽４内に給水するもので、排水弁１０は、水受け槽３および洗濯兼脱水槽４内の洗濯水を排水するものである。
【００１０】
制御装置１１は洗濯機外枠１の上面に設け、図２に示すように構成しており、制御手段１２は操作表示手段１３により入力された設定内容に基づいて、洗い、すすぎ、脱水の各行程を逐次制御するもので、パワースイッチング手段１４を介してモータ６、給水弁９、排水弁１０などを逐次制御する。記憶手段１５は制御手段１２による逐次制御に必要なデータを記憶している。水位検知手段１６は水受け槽３内の水位を検知する。
【００１１】
制御手段１２は、洗濯行程またはすすぎ行程において、水位検知手段１６の信号を取り込み、給水弁９の開閉を制御して洗濯兼脱水槽４内に水位Ｈ１まで給水し、モータ６の通電制御を行い、パルセータ５により攪拌するとともに、パルセータ５の撹拌終了の所定時間（たとえば、１分）前に、洗濯兼脱水槽４内の水位をＨ２まで上昇させ、撹拌終了後に排水、脱水を行うようにしている。なお、１７はモータ６の進相用コンデンサ、１８は電源スイッチ、１９は商用電源である。
【００１２】
上記構成において図３を参照しながら動作を説明する。ステップ３１で操作表示手段１３により洗濯兼脱水槽４に給水する水位を設定し、ステップ３２でスタートスイッチ（図示せず）をオンすると、ステップ３３で給水弁９がオンして給水を開始する。ステップ３４で水位検知手段１６により設定水位Ｈ１を検知すると、ステップ３５で給水弁９をオフし、ステップ３６でモータ６を駆動してパルセータ５を回転させ、攪拌する。
【００１３】
ステップ３７で、攪拌終了の所定時間（１分）前になると、ステップ３８で攪拌を停止し、ステップ３９で給水弁９をオンして給水し、ステップ４０で設定水位Ｈ２に達すると、ステップ４１で給水弁９をオフし、ステップ４２でモータ６を駆動してパルセータ５を回転させ、攪拌する。ステップ４３で所定時間（１分）経過すると、ステップ４４で攪拌を停止し、ステップ４５、４６にて排水、脱水を行う。
【００１４】
これにより、水位Ｈ１の時点で最も強い水流にて最小限の洗剤で水とびを防ぎつつ、洗濯またはすすぎを行うことができる。しかし、この場合は比較的浴比が低いため、攪拌の後半になると洗濯物からみが発生しやすくなる。そこで、水位をＨ２に上昇させて、浴比を上昇させて布まわりをよくし、洗濯物のからみを解きほぐし、洗濯物のアンバランスを改善して振動性能を向上することができる。この結果、モータ６への負担も軽減できる。
【００１５】
（実施例２）
図４に示すように、布量検知手段２０は、洗濯兼脱水槽４内の洗濯物の量を検知するもので、モータ６に所要時間通電した後、休止期間におけるモータ６の逆起電力を逆起電力検知手段２１により検知し、逆起電力の減衰率により洗濯兼脱水槽４内の洗濯物の量を検知する。検知した情報を制御手段２２に入力し、制御手段２２は、洗濯行程またはすすぎ行程におけるパルセータ撹拌終了の所定時間（たとえば１分）前に洗濯兼脱水槽４内の水位を所定の浴比まで上昇させ、撹拌終了後に排水、脱水を行うようにしている。他の構成は上記実施例１と同じである。
【００１６】
上記構成において図５を参照しながら動作を説明する。ステップ３３からステップ４６までの動作は上記実施例１の動作と同じであるので説明を省略する。
【００１７】
ステップ４７でスタートスイッチ（図示せず）をオンし、ステップ４８で布量検知手段２０により洗濯兼脱水槽４内の洗濯物の量を検知し、ステップ４９で、洗濯物の量に対応した洗濯またはすすぎ水位Ｈ１と、パルセータ撹拌終了の所定時間（たとえば１分）の間、所定の浴比で攪拌する水位Ｈ２を決定する。
【００１８】
これにより、洗濯兼脱水槽４の水位を上昇させる前の水位Ｈ１では、強い水流にて最小限の洗剤で水飛びを防ぎつつ、洗濯またはすすぎを行うことができ、その後、所定の浴比で攪拌する水位Ｈ２まで上昇させることにより、必要最小限の水量により所定の浴比を得ることができ、洗濯物のからみを解きほぐし、洗濯物のアンバランスを改善して振動性能を向上することができる。
【００１９】
（実施例３）
図２における制御手段１２は、洗濯兼脱水槽４内の水位をＨ１からＨ２に上昇させた状態で、パルセータ５を通常撹拌時の反転周期（３秒オン−１秒オフ）よりも短い反転周期（０．６秒オン−０．３秒オフ）、いわゆるバランスコントロール水流にて駆動するようにしている。他の構成は上記実施例１と同じである。
【００２０】
上記構成において図６を参照しながら動作を説明する。ステップ３１からステップ４１までの動作は上記実施例１の動作と同じであるので説明を省略する。
【００２１】
ステップ４０で設定水位Ｈ２に達すると、ステップ４１で給水弁９をオフし、ステップ５０でモータ６を駆動してパルセータ５を回転させ、攪拌する。このとき、パルセータ５を短い反転周期（０．６秒オン−０．３秒オフ）のバランスコントロール水流にて駆動する。ステップ４３で所定時間（１分）経過すると、ステップ４４で攪拌を停止し、ステップ４５、４６にて排水、脱水を行う。
【００２２】
これにより、浴比が上昇して洗濯物まわりがよい状態で、いわゆるバランスコントロール水流にて洗濯物をほぐすことができ、より洗濯物のアンバランスを改善して振動性能を向上することができる。
【００２３】
なお、本実施例では、上記実施例１の構成において、洗濯兼脱水槽４内の水位をＨ１からＨ２に上昇させた状態で、パルセータ５をバランスコントロール水流にて駆動するようにしているが、上記実施例２の構成において、洗濯兼脱水槽４内の水位をＨ１からＨ２に上昇させた状態で、パルセータ５をバランスコントロール水流にて駆動するようにしてもよい。
【００２４】
また、本実施例では、水位がＨ２に達した後、バランスコントロール水流にて駆動しているが、水位がＨ１からＨ２になる途中からバランスコントロール水流の動作を行ってもよい。この場合は洗濯時間の短縮につながる。
【００２５】
さらに、水位がＨ２に達した後、すぐにバランスコントロール水流にて駆動しているが、水位がＨ２になった後、通常撹拌時の反転周期で駆動した後、バランスコントロール水流にて駆動するようにしてもよい。
【００２６】
【発明の効果】
以上のように本発明の請求項１に記載の発明によれば、洗濯兼脱水槽の底部に回転自在に配設したパルセータと、前記パルセータおよび前記洗濯兼脱水槽を駆動するモータと、前記洗濯兼脱水槽内の洗濯物の量を検知する布量検知手段と、前記洗濯兼脱水槽内に給水する給水手段と、前記洗濯兼脱水槽内の水位を検知する水位検知手段と、前記水位検知手段の信号を取り込み前記給水手段の開閉を制御するとともに前記モータの通電制御を行う制御手段とを備え、前記制御手段は、洗濯行程またはすすぎ行程において、前記給水手段を制御して、前記水位検知手段が前記布量検知手段により検知した洗濯物の量に対応した水位を検知するまで給水し、その洗濯物の量に対応した水位で前記パルセータを強い水流を発生させる所定の反転周期で駆動させ、その後、前記洗濯行程またはすすぎ行程終了の所定時間前に、前記パルセータの駆動を停止するとともに、前記給水手段を制御して、前記水位検知手段が前記布量検知手段により検知した洗濯物の量に対応した水位より高い所定の水位を検知するまで給水し、その所定の水位で前記パルセータを前記所定の反転周期より短い反転周期で所定時間駆動させ、その後、排水、脱水を行うようにしたから、洗濯兼脱水槽の水位を上昇させる前の水位では、強い水流にて最小限の洗剤で水飛びを防ぎつつ、洗濯またはすすぎを行うことができ、その後、水位を上昇させることにより、浴比が上昇して布まわりがよくなり、いわゆるバランスコントロール水流にて洗濯物をほぐすことで、洗濯物のからみを解きほぐし、洗濯物のアンバランスを改善して振動性能を向上することができる。この結果、駆動用モータへの負担も軽減することができる。
【図面の簡単な説明】
【図１】  本発明の第１の実施例の脱水兼用洗濯機の断面図
【図２】  同脱水兼用洗濯機のブロック回路図
【図３】  同脱水兼用洗濯機の要部動作タイムチャート
【図４】  本発明の第２の実施例の脱水兼用洗濯機のブロック回路図
【図５】  同脱水兼用洗濯機の要部動作タイムチャート
【図６】  本発明の第３の実施例の脱水兼用洗濯機の要部動作タイムチャート
【符号の説明】
４  洗濯兼脱水槽
５  パルセータ
６  モータ
９  給水弁（給水手段）
１２  制御手段
１６  水位検知手段
【図１】
0003785692.tif 000002
【図２】
0003785692.tif 000003
【図３】
0003785692.tif 000004
【図４】
0003785692.tif 000005
【図５】
0003785692.tif 000006
【図６】
0003785692.tif 000007